(57)【要約】【課題】視聴者の電子番組表における番組検索操作や電子番組表で表示する領域の変更操作の簡便化を図った電子番組表表示装置及び電子番組表作成方法を得る。【解決手段】電子番組表状態管理部４０は、詳細電子番組表の表示領域等の管理用の範囲・領域等管理情報とマイコンからの電子番組制御信号ＳＣ２とに基づき、基準位置と詳細電子番組表の表示領域を計算して表示制御信号ＳＣ３を出力する。詳細電子番組表作成部４２は、表示制御信号ＳＣ３に基づき、詳細電子番組表及び詳細電子番組表上における基準位置を示すカーソルを作成する。全体電子番組表作成部４１は表示制御信号ＳＣ３に基づき、詳細電子番組表の表示領域を認識し、全体電子番組表と共に、詳細電子番組表の位置及び領域（時間帯幅及び放送局幅）を示す（詳細電子番組表用）カーソルを全体電子番組表上に作成する。【選択図】図２
2008263480.tif 000002
【特許請求の範囲】
【請求項１】
テレビ放送の放送波を受信する受信部と、
前記受信部が受信した放送波から、放送番組に関する番組情報を取得する番組情報取得部と、
前記番組情報取得部によって取得された前記番組情報の中から、放送局及び時間帯で規定される所定の範囲で電子番組表を作成する電子番組表作成部と、
前記放送波より得られる放送映像に前記電子番組表を合成する表示画像合成部とを備え、
前記電子番組表作成部は、
前記放送局及び前記時間帯で規定される第１の範囲で第１の電子番組表を作成する第１の電子番組表作成部と、
前記放送局及び前記時間帯で規定され、前記第１の範囲の一部である第２の範囲で第２の電子番組表を作成する第２の電子番組表作成部と、
前記第１及び第２の電子番組表を合成して合成電子番組表を得る電子番組表合成部とを含み、前記所定の範囲は前記第１及び第２の範囲を含み、前記電子番組表は前記合成電子番組表を含み、
第１の電子番組表作成部は、前記第１の電子番組表内における前記第２の電子番組表の位置が視認可能な第２の電子番組表指示用カーソルを前記第１の電子番組表上に作成することを特徴とする、
電子番組表表示装置。
【請求項２】
請求項１記載の電子番組表表示装置であって、
前記第２の電子番組表作成部は、
現在選択中の番組を指示する基準位置が前記第２の電子番組表上に視認可能な基準位置表示カーソルを作成する基準位置作成機能と、
前記第２の電子番組表における操作内容を指示する電子番組制御信号に基づき、前記基準位置を変更するとともに、変更後の前記基準位置が含まれるように、必要に応じて前記第２の電子番組表を新たに作成する電子番組表変更機能とを有する、
電子番組表表示装置。
【請求項３】
請求項１あるいは請求項２記載の電子番組表表示装置であって、
前記第１の電子番組表作成部は、前記第１の電子番組表における前記第２の電子番組表指示用カーソルの操作内容を指示する電子番組制御信号に基づき、直前の前記第２の電子番組表指示用カーソルから、前記第１の電子番組表上における前記時間帯方向及び前記放送局方向のうち一方方向へ移動させた前記第２の電子番組表指示用カーソルを作成し、
前記第２の電子番組表作成部は、前記第１の電子番組表上における前記第２の電子番組表指示用カーソルの位置に基づき、前記第２の電子番組表指示用カーソルの位置に適合した放送局及び時間帯の番組で構成される前記第２の電子番組表を作成する、
電子番組表表示装置。
【請求項４】
請求項１ないし請求項３のうち、いずれか１項に記載の電子番組表表示装置であって、
前記第２の電子番組表作成部は、前記第２の範囲の変更を指示する範囲変更指示信号に基づき、前記第２の範囲を変更して前記第２の電子番組表を作成し、
前記第１の電子番組表作成部は、変更後の前記第２の範囲の前記第２の電子番組表に適合して前記第２の電子番組表上に前記第２の電子番組表指示用カーソルを作成する、
電子番組表表示装置。
【請求項５】
請求項１ないし請求項４のうち、いずれか１項に記載の電子番組表表示装置であって、
前記第１の電子番組表作成部は、前記番組情報のうち所定の番組関連情報に置き換えて予め定められた記号を前記第１の電子番組表上に作成する、
電子番組表表示装置。
【請求項６】
請求項５記載の電子番組表表示装置であって、
視聴者の過去の視聴履歴を保存する視聴履歴格納部と、
前記視聴履歴に基づき視聴者のお勧め番組関連情報を認識し、当該お勧め番組関連情報を指示するお勧め番組関連情報を得るお勧め番組指示部とをさらに備え、
前記記号はお勧め番組に対応した特定の記号を含み、
前記第１の電子番組表作成部は、前記お勧め番組関連情報に基づき、前記お勧め番組関連情報に合致する番組を前記お勧め番組として認識し、前記お勧め番組に置き換えて示される前記特定の記号を前記第１の電子番組表上に作成する、
電子番組表表示装置。
【請求項７】
テレビ放送の放送波から放送番組に関する番組情報を取得した後、該番組情報の中から放送局及び時間帯で規定される所定の範囲の電子番組表を作成する電子番組表作成方法であって、前記電子番組表は前記放送波より得られる放送映像に合成して表示され、
(a) 前記放送局及び前記時間帯で規定される第１の範囲で第１の電子番組表を作成するステップと、
(b) 前記放送局及び前記時間帯で規定され、前記第１の範囲の一部である第２の範囲で第２の電子番組表を作成するステップと、
(c) 前記第１及び第２の電子番組表を合成して合成電子番組表を得るステップとを含み、前記所定の範囲は前記第１及び第２の範囲を含み、前記電子番組表は前記合成電子番組表を含み、
前記ステップ(a) は、前記第１の電子番組表内における前記第２の電子番組表の位置が視認可能な第２の電子番組表指示用カーソルを前記第１の電子番組表上に作成するステップを含むことを特徴する、
電子番組表作成方法。
【請求項８】
請求項７記載の電子番組表作成方法であって、
前記ステップ(b) は、
(b-1) 現在選択中の番組を指示する基準位置が前記第２の電子番組表上で視認可能な基準位置表示カーソルを作成するステップと、
(b-2) 前記第２の電子番組表における操作内容を指示する電子番組制御信号に基づき、前記基準位置を変更するとともに、変更後の前記基準位置が含まれるように、必要に応じて前記第２の電子番組表を新たに作成するステップとを含む、
電子番組表作成方法。
【請求項９】
請求項７あるいは請求項８記載の電子番組表作成方法であって、
前記ステップ(a) は、前記第１の電子番組表における操作内容を指示する電子番組制御信号に基づき、直前の第２の電子番組表指示用カーソルから、前記第１の電子番組表上において前記時間帯方向及び前記放送局方向のうち一方方向に移動させた前記第２の電子番組表指示用カーソルを作成するステップを含み、
前記ステップ(b) は、前記第１の電子番組表上における前記第２の電子番組表指示用カーソルの位置に基づき、前記第２の電子番組表指示用カーソルの位置に適合した放送局及び時間帯からなる前記第２の電子番組表を作成するステップを含む、
電子番組表作成方法。
【請求項１０】
請求項７ないし請求項９のうち、いずれか１項に記載の電子番組表作成方法であって、
前記ステップ(b) は、前記第２の範囲の変更を指示する範囲変更指示信号に基づき、前記第２の範囲を変更して前記第２の電子番組表を作成するステップを含み、
前記ステップ(a) は、変更後の前記第２の範囲の前記第２の電子番組表に適合して前記第１の電子番組表上に前記第２の電子番組表指示用カーソルを作成するステップを含む、
電子番組表作成方法。
【請求項１１】
請求項７ないし請求項１０のうち、いずれか１項に記載の電子番組表作成方法であって、
前記ステップ(a) は、前記番組情報によって規定される所定の番組関連情報に置き換えて予め定められた記号を前記第１の電子番組表上に作成するステップを含む、
電子番組表作成方法。
【請求項１２】
請求項１１記載の電子番組表作成方法であって、
(d) 視聴者の過去の視聴履歴に基づき視聴者のお勧め番組関連情報を得るステップをさらに備え、
前記記号はお勧め番組に対応した特定の記号を含み、
前記ステップ(a) は、前記お勧め番組関連情報に基づき、前記お勧め番組関連情報に合致した番組を前記お勧め番組として認識し、前記お勧め番組を前記特定の記号に置き換えて前記第１の電子番組表上に作成するステップを含む、
電子番組表作成方法。
【発明の詳細な説明】
【技術分野】
【０００１】
この発明は、テレビ放送における電子番組表を表示するための、電子番組表表示装置及び電子番組表作成方法に関するものである。
【背景技術】
【０００２】
現在、テレビ番組の放送予定は、新聞や雑誌だけでなく、ＥＰＧ(Electrical Program Guide：電子番組ガイド）によっても、視聴者は知ることができる。このＥＰＧは、映像信号や音声信号とともにテレビ放送局などから送信され、現在の新聞や雑誌等に記載されているようなテレビ番組の放送予定のデータである。すなわち、ＥＰＧは、番組の放送予定日、時間帯、チャンネル、番組名、出演者などが番組毎に記載されたデータを意味する。
【０００３】
ＥＰＧは、縦軸及び横軸にそれぞれ放送局及び時間帯を割り当てた２次元の電子番組表として、テレビやパソコンのディスプレイに表示されることにより利用されるのが一般的であった。そして、視聴者は、テレビに電子番組表が表示されている場合にはリモコンを用い、パソコンのディスプレイに電子番組表が表示されている場合にはマウスを用いることで、表示画面をスクロールする等の操作を行うことができる。従来の電子番組表では、所定の放送局・時間帯を基準とした一部分を表示し、視聴者が表示画面をスクロールさせることにより、表示されていない放送局や時間帯の電子番組表を表示させている。
【０００４】
例えば、テレビやパソコンのディスプレイ上には横軸には５つ程度の放送局と縦軸には３時間程度の時間帯からなる範囲を表示している。
【０００５】
しかし、上述の従来の電子番組表の表示例では、一度に表示することのできる放送局・時間帯の範囲が限られてしまうという問題がある。例えば、番組情報として放送局はＣＨ１からＣＨ１０まで、放送時間帯は当日１７時から７日後の１７時までの番組情報を獲得できているとしても、テレビやパソコンのディスプレイ上にはせいぜい５つの放送局と５時間の範囲の限られた範囲の番組情報しか表示することができない。このような環境下で、視聴者が表示されていない時間帯の電子番組表を参照したい場合には、視聴者は画面をスクロールさせて目的の放送局・時間帯を見つけ出さなくてはならない。
【０００６】
しかし、視聴者は電子番組表の全体を俯瞰することができないため、目的の放送局及び時間帯を表示するためにはどの方向に電子番組表をスクロールさせたらよいかがわからなくなり、操作性が悪いという問題がある。また、電子番組表の全体を俯瞰することができないために、複数の番組情報を検索する際に過去に検索した番組と現在検索している番組、及び次に検索したい番組の位置関係を把握することが困難であり、複数の番組を検索する際に検索する順番が悪いといった作業効率の低下を招いてしまう問題もあった。さらに、現在表示中の放送局や時間帯から、大きく離れている放送局や時間帯の番組情報を調べるためには、相当数の画面スクロール操作が必要となるため、目的の放送局や時間帯の電子番組表を表示させるために多くの時間がかかってしまうという問題もある。
【０００７】
このような問題を解決するために、所定の時刻に近い番組の情報を得たい場合は詳細な電子番組表を表示し、大きく離れた時間帯の番組の情報を得たい場合は電子番組表全体を表示するといったように、一度に表示できる時間幅や放送局数を変更可能にした技術が開示されている。例えば、特許文献１で開示された電子番組表表示装置は、詳細な電子番組表を見たいときには電子番組表の一部分を、電子番組表全体を見たいときには電子番組表の全体を表示するという切換機能を有している。したがって、上記電子番組表表示装置では、視聴者からの操作命令によってこれらの表示の切換を可能にし、視聴者の作業効率が高くなる表示画面を視聴者自身に選択させることにより、番組の検索および選択操作を簡素化することができる。
【０００８】
【特許文献１】特開平１１−２１５４４４号公報（図５）
【発明の開示】
【発明が解決しようとする課題】
【０００９】
特許文献１で開示された電子番組表表示装置は上記のとおり、視聴者が必要とするときに電子番組表の時間幅及び放送局幅を切り替えることができるため、操作目的に合わせて詳細画面と全体画面を切り替えることが可能であり、操作の簡素化及び所要時間の短縮化が図れるものである。
【００１０】
しかし、例えば、週末の夜に放送される番組を検索する際には全体画面を表示して、現在視聴中の番組の次の番組の内容を確認する際には詳細画面を表示するといった切り替えを、視聴者がそのつど行わなくてはならない。
【００１１】
このため、日付が異なる複数の番組を検索する場合、２つの画面（全体画面，詳細画面）の切換を随時行う必要があるため、操作性が悪くなるという問題点があった。例えば、土曜日の夜と日曜日の夜に放送される番組を視聴者が順次検索する場合を想定する。この場合、土曜日の夜に放送される番組を検索するためにまず全体画面に切り換えて土曜日の夜を選択して、土曜日の夜の番組情報を参照するために詳細画面に切り換えて、さらに日曜日の夜に放送される番組を検索するためには全体画面に切り換えて、日曜日の夜の番組情報を参照するために詳細画面に切り換える必要があった。
【００１２】
上記のように複数の放送局及び時間帯にわたる番組情報の検索および参照を行うためには、全体画面と詳細画面の切り換えを頻繁に行う必要がある。また、検索したい時間帯及び放送局が具体的に定まっていない場合には、このような切り換えをさらに頻繁に行う必要があり、番組の検索及び参照のために視聴者が行う操作がとても煩雑になるといった問題点があった。
【００１３】
この発明は上記の問題点を解決するためになされたもので、視聴者の電子番組表における番組検索操作や電子番組表で表示する領域の変更操作の簡便化を図った電子番組表表示装置及び電子番組表作成方法を得るすることを目的とする。
【課題を解決するための手段】
【００１４】
この発明に係る請求項１記載の電子番組表表示装置は、テレビ放送の放送波を受信する受信部と、前記受信部が受信した放送波から、放送番組に関する番組情報を取得する番組情報取得部と、前記番組情報取得部によって取得された前記番組情報の中から、放送局及び時間帯で規定される所定の範囲で電子番組表を作成する電子番組表作成部と、前記放送波より得られる放送映像に前記電子番組表を合成する表示画像合成部とを備え、前記電子番組表作成部は、前記放送局及び前記時間帯で規定される第１の範囲で第１の電子番組表を作成する第１の電子番組表作成部と、前記放送局及び前記時間帯で規定され、前記第１の範囲の一部である第２の範囲で第２の電子番組表を作成する第２の電子番組表作成部と、前記第１及び第２の電子番組表を合成して合成電子番組表を得る電子番組表合成部とを含み、前記所定の範囲は前記第１及び第２の範囲を含み、前記電子番組表は前記合成電子番組表を含み、第１の電子番組表作成部は、前記第１の電子番組表内における前記第２の電子番組表の位置が視認可能な第２の電子番組表指示用カーソルを前記第１の電子番組表上に作成している。
【００１５】
この発明に係る請求項７記載の電子番組表作成方法は、テレビ放送の放送波から放送番組に関する番組情報を取得した後、該番組情報の中から放送局及び時間帯で規定される所定の範囲の電子番組表を作成する電子番組表作成方法であって、前記電子番組表は前記放送波より得られる放送映像に合成して表示され、(a) 前記放送局及び前記時間帯で規定される第１の範囲で第１の電子番組表を作成するステップと、(b) 前記放送局及び前記時間帯で規定され、前記第１の範囲の一部である第２の範囲で第２の電子番組表を作成するステップと、(c) 前記第１及び第２の電子番組表を合成して合成電子番組表を得るステップとを含み、前記所定の範囲は前記第１及び第２の範囲を含み、前記電子番組表は前記合成電子番組表を含み、前記ステップ(a) は、前記第１の電子番組表内における前記第２の電子番組表の位置が視認可能な第２の電子番組表指示用カーソルを前記第１の電子番組表上に作成するステップを含んでいる。
【発明の効果】
【００１６】
この発明に係る請求項１記載の電子番組表表示装置において、第１の電子番組表作成部は第１の電子番組表内における第２の電子番組表の位置が視認可能な第２の電子番組表指示用カーソルを第１の電子番組表上に作成している。
【００１７】
このため、視聴者は第１の電子番組表上の第２の電子番組表指示用カーソルを参照することにより、第１の電子番組表内における第２の電子番組表の表示領域の位置を明確に認識することができるため、表示されていない放送局や時間帯の番組を第２の電子番組表に表示するには、どの方向にどの程度第１の電子番組表上を移動させれば良いかに関し、簡易かつ正確に認識することができる。
【００１８】
その結果、視聴者は上記電子番組表表示装置を利用することにより、視聴者の電子番組表（第１及び第２の電子番組表）における番組検索操作や電子番組表で表示する領域の変更操作を簡便化することができ、電子番組表を用いた番組検索の所要時間を従来に比べ大幅に削減することができる効果を奏する。
【００１９】
この発明に係る請求項７記載の電子番組表作成方法において、ステップ(a) は、第１の電子番組表内における第２の電子番組表の位置が視認可能な第２の電子番組表指示用カーソルを第１の電子番組表上に作成している。
【００２０】
したがって、視聴者は第１の電子番組表上の第２の電子番組表指示用カーソルを参照することにより、第１の電子番組表内における第２の電子番組表上の表示位置を明確に認識することができるため、表示されていない放送局や時間帯の番組を第２の電子番組表に表示するにはどの方向にどの程度、第１の電子番組表上を移動させれば良いかに関し、簡易かつ正確に認識することができる。
【００２１】
その結果、視聴者は上記電子番組表作成方法を用いることにより、視聴者の電子番組表（第１及び第２の電子番組表）における番組検索操作や電子番組表で表示する領域の変更操作を簡便化することができ、電子番組表を用いた番組検索の所要時間を従来に比べ大幅に削減することができる効果を奏する。
【発明を実施するための最良の形態】
【００２２】
以下、この発明の実施の形態による電子番組表表示装置が組み込まれたテレビジョン放送受信装置であって、例えば液晶ディスプレイのような表示パネル等に接続することでテレビ番組の映像と電子番組表とを見ることが可能なテレビジョン放送受信装置を例に説明する。さらに、テレビジョン放送は地上放送や衛星放送であって、デジタル放送である場合を例に説明する。
【００２３】
＜実施の形態１＞
図１はこの発明の実施の形態１である電子番組表表示装置を組み込んだテレビジョン放送受信機の全体構成を示すブロック図である。
【００２４】
同図に示すように、実施の形態１のテレビジョン放送受信機は、地上／ＢＳ／ＣＳデジタル放送の放送波を受信部であるアンテナ２１で受信し、受信した放送波をデジタル放送受信機２０でデコードして表示パネル３２に映像を表示している。また、デジタル放送受信機２０はリモコン３３によってユーザからの操作命令を受け付けることができる。以下、デジタル放送受信機２０の内部構成について説明する。
【００２５】
デジタル放送受信機２０は電子番組表表示部１５、デコーダ２３及び表示画像合成部２９より構成される。電子番組表表示部１５は、チューナ２２、番組情報抽出部２５、番組情報管理部２６、番組情報ＤＢ（データベース）２７、電子番組表作成部２８、リモコン受光部３０及びマイコン３１から構成される。
【００２６】
デジタル放送受信機２０はアンテナ２１から受信した放送波をチューナ２２でテレビ映像信号ＳＶ及びＥＰＧ情報信号ＳＥとして受信する。そして、チューナ２２はテレビ映像信号ＳＶをデコーダ２３にＥＰＧ情報信号ＳＥを番組情報抽出部２５に出力する。
【００２７】
その後、デコーダ２３によってテレビ映像信号ＳＶはデコードされ、テレビ番組の映像が得られる。得られた映像は表示映像作成部２４によって適切なサイズや位置に変換され、実際に画面に表示される映像（以下、「放送映像（Ｖ２４）」と記述する）が作成される。この放送映像Ｖ２４の適切なサイズや位置といった情報は、デジタル放送受信機２０の内部状態を管理している制御部であるマイコン（マイクロコンピュータ）３１から放送映像制御信号ＳＣ１として送信される。
【００２８】
番組情報抽出部２５はチューナ２２が受信したＥＰＧ情報信号ＳＥから放送局、放送日時、番組名、番組内容及びジャンルといったテレビ番組情報ＰＩを抽出し、番組情報抽出部２５から得られたテレビ番組情報ＰＩは番組情報管理部２６によって番組情報ＤＢ２７で管理される。したがって、チューナ２２、番組情報抽出部２５、番組情報管理部２６及び番組情報ＤＢ２７は、アンテナ２１が受信した放送波から、放送番組に関する番組情報を取得する番組情報取得部して機能する。
【００２９】
電子番組表作成部２８は、番組情報管理部２６を通して番組情報ＤＢ２７から放送局、放送日時、番組名といった電子番組表作成に必要な情報を読み込むことで、表示する電子番組表（合成電子番組表）を作成する。より具体的には、電子番組表作成部２８は作成した電子番組表を映像として規定する電子番組表映像Ｖ２８を生成する。
【００３０】
また、リモコン受光部３０はリモコン３３によって得られる視聴者からの操作命令を受信し、その内容をマイコン３１に伝達する。マイコン３１はデジタル放送受信機１１の内部の状態を管理しており、デジタル放送受信機１１の内部状態とリモコン受光部３０から得られる視聴者の放送映像操作命令に基づき、表示映像作成部２４に放送映像の作成の有無及び放送映像の属性（サイズや位置など）を示す放送映像操作信号を放送映像制御信号ＳＣ１として送信している。
【００３１】
また、マイコン３１はデジタル放送受信機１１の内部状態とリモコン３３から得られた電子番組表操作命令を用いて、電子番組表作成部２８に電子番組表の表示／非表示を切り換え、電子番組表（詳細電子番組表，全体電子番組表）上のカーソルの移動、詳細電子番組表のスクロール及び詳細電子番組表上の番組の選択といった電子番組操作信号である電子番組制御信号ＳＣ２を送信している。
【００３２】
表示映像作成部２４はマイコン３１から受け取った放送映像制御信号ＳＣ１が指示する放送映像操作内容に応じた放送映像を作成し、電子番組表作成部２８は電子番組制御信号ＳＣ２が指示する電子番組表操作内容に応じた電子番組表を作成する。表示画像合成部２９は表示映像作成部２４から得られる放送映像Ｖ２４と電子番組表作成部２８から得られる電子番組表映像Ｖ２８を重畳し、その重畳された画像が表示パネル３２に表示される。
【００３３】
図２は、図１で示した電子番組表作成部２８の内部構成を示すブロック図である。同図に示すように、電子番組表作成部２８は電子番組表状態管理部４０、全体電子番組表作成部４１（第１の電子番組表作成部）、詳細電子番組表作成部４２（第２の電子番組表作成部）及び電子番組表合成部４３から構成される。
【００３４】
電子番組表状態管理部４０は、詳細番組表が一度に表示する放送局数及び放送時間幅（以下、「範囲」と呼ぶ）、現在詳細電子番組表が表示している時間帯及び放送局（以下、「領域」と呼ぶ）、カーソルが選択している基準位置等の情報を管理している。以下、これらの情報を「範囲・領域等管理情報」と略記する場合がある。
【００３５】
電子番組表状態管理部４０は、上記範囲・領域等管理情報と電子番組表作成部２８がマイコン３１から受け取った電子番組制御信号ＳＣ２とに基づき、カーソルが選択すべき番組の基準位置と詳細電子番組表の表示領域を計算する。そして、電子番組表状態管理部４０は上記計算結果を表示制御信号ＳＣ３として詳細電子番組表作成部４２及び電子番組表合成部４３に出力する。
【００３６】
詳細電子番組表作成部４２は、電子番組表状態管理部４０から表示制御信号ＳＣ３を受信する。詳細電子番組表作成部４２は受信した表示制御信号ＳＣ３に基づき、表示すべき領域内のすべての番組情報を番組情報管理部２６を通じて番組情報ＤＢ２７から取得する。
【００３７】
そして、詳細電子番組表作成部４２は表示制御信号ＳＣ３に基づき、所定数の放送局及び所定時間で時間帯で規定される領域の番組を詳細電子番組表として規定する詳細電子番組表映像Ｖ４２）を作成する。例えば、縦軸が時刻（時間帯）で横軸が放送局である２次元の表に番組名や番組情報を表示するための２次元の詳細電子番組表を作成する。なお、以下では、説明の都合上、詳細電子番組表映像Ｖ４２を生成することを単に「詳細電子番組表を作成する」と記載する場合がある。
【００３８】
さらに、詳細電子番組表作成部４２は、電子番組表状態管理部４０からの表示制御信号ＳＣ３に基づき最新の基準位置に該当する番組が配置されているセルについて、例えば色を他と異なる色に設定した表を示す詳細電子番組表を作成する。
【００３９】
なお、横軸の放送局や縦軸の時間帯表示部分の色も他の放送局や時間帯と異なる色に設定しても良い。また、セルの色を設定するのではなく矩形のような図形で詳細電子番組表の該当のセルを囲むようにしても良い。
【００４０】
一方、全体電子番組表作成部４１は番組情報管理部２６を通じて番組情報ＤＢ２７から全日程全放送局の情報を取得し、例えば縦軸が時刻（時間軸）で横軸が放送局（放送局軸）である２次元の表に配置していく。その際、全体電子番組表に表示すべき番組の数は非常に多くなってしまうため、限られた情報、例えば番組名のみを全体電子番組表に配置するようにする。また、ジャンルのみを表示するようにしても良い。
【００４１】
このように、全体電子番組表は放送局及び時間帯で規定される全日全放送局範囲（第１の範囲）の第１の電子番組表となる。一方、詳細電子番組表は、所定数及び所定時間の放送局及び時間帯で規定され、上記全日全放送局範囲の一部の範囲（第２の範囲）の第２の電子番組表となる。
【００４２】
さらに、全体電子番組表作成部４１は、電子番組表状態管理部４０から受信した表示制御信号ＳＣ３に基づき、最新の詳細電子番組表の表示領域を認識し、全体電子番組表を作成するともに、全体電子番組表上における詳細電子番組表の位置及び領域（時間帯幅及び放送局幅）を示す（詳細電子番組表用）カーソルを作成する。なお、カーソルには単に位置を指し示す矢印のようなものでも良いし、領域の色を変化させたり網掛けといった視覚効果でも良く、矩形のような図形で該当領域を囲っても良い。このようにして、全体電子番組表作成部４１は全体番組表を規定した全体電子番組表映像Ｖ４１を生成する。なお、以下では、説明の都合上、全体電子番組表映像Ｖ４１を生成することを単に「全体電子番組表を作成する」と記載する場合がある。
【００４３】
詳細電子番組表作成部４２で作成された詳細電子番組表映像Ｖ４２と、全体電子番組表作成部４１で作成された全体電子番組表映像Ｖ４１とは、電子番組表合成部４３によって重畳される。そして、電子番組表合成部４３の出力としてひとつの画面に２つの電子番組表が表示されている画面を規定した電子番組表映像Ｖ２８が作成される。
【００４４】
図３は、実施の形態１の電子番組表表示装置内の電子番組表作成部２８による電子番組表作成方法の処理手順を示すフローチャートである。以下、同図を参照して、電子番組表作成部２８の処理手順を説明する。なお、説明の都合上、詳細電子番組表が一度に表示する放送局数が５つで、時間幅が５時間である場合において、現在時刻１９時にＣＨ５を視聴中であるという想定で具体的に説明する。
【００４５】
同処理は、視聴者がリモコン３３を用いて電子番組表表示命令を送信した場合、マイコン３１が電子番組表表示命令を受信し、電子番組表作成部２８に電子番組表作成を指示する電子番組制御信号ＳＣ２が送信される処理により開始される（スタート）。
【００４６】
まず、ステップＳ１において、現在、電子番組表が表示されていない通常視聴状態であるか否かがチェックされる。通常視聴状態（Yes）の場合、ステップＳ２〜Ｓ１０の処理が行われ、電子番組表が既に表示されている非通常視聴状態（No）の場合、ステップＳ１１〜Ｓ１８及びステップＳ２１及びＳ２２の処理が行われる。
【００４７】
まず、通常視聴状態であった場合に実行されるステップＳ２〜Ｓ１０の処理について説明する。最初に電子番組表作成部２８内の電子番組表状態管理部４０によってステップＳ２及びＳ３の処理が実行される。
【００４８】
ステップＳ２において、電子番組表状態管理部４０がマイコン３１からの表示制御信号ＳＣ３を受信し、現在視聴中の放送局と現在時刻、すなわち「ＣＨ５と１９時」を詳細電子番組表の基準位置として設定する詳細番組表初期化処理を行う。
【００４９】
その後、ステップＳ３において、電子番組表状態管理部４０はさらにステップＳ２で求めた基準位置と自身が管理している範囲・領域等管理情報より得られる詳細電子番組表の範囲に基づき、詳細電子番組表の表示領域を計算する。すなわち、電子番組表状態管理部４０は、範囲・領域等管理情報より得られる「５つ（放送局数）で５時間（時間帯）」を用いて、詳細電子番組表の表示領域、すなわち「ＣＨ３からＣＨ７まで、１７時から２２時」を求める。このようにして求められた詳細電子番組表の表示領域を規定した表示制御信号ＳＣ３が全体電子番組表作成部４１及び詳細電子番組表作成部４２に出力される。
【００５０】
次に、電子番組表作成部２８内の詳細電子番組表作成部４２によるステップＳ４〜Ｓ６の処理が実行される。
【００５１】
ステップＳ４において、詳細電子番組表作成部４２は表示制御信号ＳＣ３の指示する領域内における番組情報を、番組情報管理部２６から獲得する。
【００５２】
そして、ステップＳ５において、詳細電子番組表作成部４２はステップＳ４で獲得した番組情報に基づき詳細電子番組表を作成する。
【００５３】
図４は番組情報管理部２６が管理している番組情報例を示す説明図である。同図に示すように、番組情報５０はｎ（＞１）個の単位番組情報ＰＧ１〜ＰＧｎから構成され、各単位番組情報ＰＧｉ（ｉ＝１〜ｎのいずれか）は番組名、放送局、放送時間、ジャンル、番組内容、出演者等の情報を含んでいる。
【００５４】
図５は詳細電子番組表作成部４２が詳細電子番組表映像Ｖ４２として作成する詳細電子番組表６０の一例を示す説明図である。
【００５５】
番組情報管理部２６が図４の番組情報５０のように番組管理を行っている場合、詳細電子番組表作成部４２は「ＣＨ３からＣＨ７まで、１７時から２２時」の番組情報を取得し、図５に示す詳細電子番組表６０を作成する。
【００５６】
さらに、ステップＳ６において、詳細電子番組表作成部４２は、表示制御信号ＳＣ３に基づき、電子番組表状態管理部４０が求めた基準位置、すなわち「ＣＨ５と１９時」の番組を指し示す（基準位置表示）カーソル６１を、図５に示すように、詳細電子番組表６０上に作成する。このように、カーソル６１は、基準位置が詳細電子番組表上に視認可能に表示された基準位置表示用カーソルとして機能する。このように、詳細電子番組表作成部４２は基準位置を指示するカーソル６１を詳細電子番組表６０上に作成するという基準位置作成機能を有している。
【００５７】
続いて、電子番組表作成部２８内の全体電子番組表作成部４１によるステップＳ７〜Ｓ９の処理が実行される。
【００５８】
ステップＳ７において、全体電子番組表作成部４１は番組情報管理部２６が管理する全日程全放送局の範囲の情報を全体電子番組表の表示用の番組情報として獲得する。
【００５９】
そして、ステップＳ８において、全体電子番組表作成部４１は、ステップＳ７で獲得した番組情報に基づき全体電子番組表を作成する。
【００６０】
その後、ステップＳ９において、全体電子番組表作成部４１は、表示制御信号ＳＣ３に基づき、電子番組表状態管理部４０が求めた詳細電子番組表の全体電子番組表上における位置及び領域を指し示すカーソルを表示する。
【００６１】
図６は全体電子番組表作成部４１が全体電子番組表映像Ｖ４１として作成する全体電子番組表７０の一例を示す説明図である。図６では、番組情報管理部２６は１日間１２ＣＨの番組情報を管理しているとする。
【００６２】
同図に示すように、全体電子番組表７０として、１２ＣＨ（ＣＨ１〜ＣＨ１２）の一日分の番組表が作成される。その際、全体電子番組表７０内における詳細電子番組表の位置及び領域（ＣＨ３〜ＣＨ７の１７時〜２１時）を示す（詳細電子番組表用）カーソル７１が全体電子番組表７０上に作成される。このように、カーソル７１は全体電子番組表７０内における詳細電子番組表６０の位置及び領域を示す詳細電子番組表指示用カーソルとして機能する。
【００６３】
最後に、電子番組表合成部４３によりステップＳ１０の処理が実行される。すなわち、ステップＳ１０において、電子番組表合成部４３は、全体電子番組表映像Ｖ４１と詳細電子番組表映像Ｖ４２とを合成して電子番組表映像Ｖ２８を得る。
【００６４】
図７は電子番組表合成部４３によって得られる電子番組表映像Ｖ２８で規定される合成電子番組表８０の一例を示す説明図である。
【００６５】
同図に示すように、図６で示した詳細電子番組表６０を規定する詳細電子番組表映像Ｖ４２と、図７で示した全体電子番組表７０を規定した全体電子番組表映像Ｖ４１とを合成して得られる合成電子番組表８０を規定した電子番組表映像Ｖ２８を得ることができる。この合成電子番組表８０が電子番組表作成部２８が作成する電子番組表となる。
【００６６】
次に、既に電子番組表が表示されている非通常視聴状態時にリモコンからカーソル移動命令が送信される場合（ステップＳ１でＮｏ）に実行されるステップＳ１１〜Ｓ１８及びステップＳ２１，Ｓ２２の処理について説明する。
【００６７】
以下では、詳細電子番組表の端にカーソルがある場合に表示領域の外側にカーソルを移動するときに詳細電子番組表がスクロールする例について説明する。
【００６８】
非通常視聴状態時に視聴者がリモコン３３を用いてさらに電子番組表変更命令を送信した場合、マイコン３１が電子番組表変更命令を受信し、電子番組表作成部２８に詳細電子番組表６０上におけるカーソル６１の操作内容を指示する電子番組制御信号ＳＣ２が送信され、ステップＳ１でＮｏとなり、ステップＳ１１に移行する。
【００６９】
まず、電子番組表作成部２８内の電子番組表状態管理部４０よって実行されるステップＳ１１〜Ｓ１３の処理について説明する。
【００７０】
ステップＳ１１において、電子番組表状態管理部４０がマイコン３１から電子番組制御信号ＳＣ２を受信し、電子番組制御信号ＳＣ２に基づき現在選択中の放送局と時間帯から、詳細電子番組表の次の基準位置として設定する基準位置の変更処理を実行する。
【００７１】
その後、ステップＳ１２において、電子番組表状態管理部４０はステップＳ１１で求めた基準位置と自身が管理している範囲・領域等管理情報より得られる詳細電子番組表の範囲に基づき、詳細電子番組表の表示領域を計算する。この際、ステップＳ１１で変更した基準位置が含まれるように計算する。以下、この点を例に挙げて説明する。
【００７２】
これまでに表示していた領域（現表示領域）が「ＣＨ４からＣＨ８まで、１７時から２２時」の場合に、ステップＳ１１で求めた基準位置が「ＣＨ５と１９時」の場合（以下、「場合１」と呼ぶ）は現表示領域内に基準位置が含まれているのため、現在の詳細電子番組表の表示領域をそのままステップＳ１２の計算結果とする。
【００７３】
一方、ステップＳ１１で求めた基準位置が「ＣＨ３の２０時」の場合（以下、「場合２」と呼ぶ）は、現表示領域外になるため、新たに詳細電子番組表の表示領域（例えば、「ＣＨ３からＣＨ７まで、１７時から２２時」）を計算し、基準位置が含まれるようにする。
【００７４】
さらに、ステップＳ１３において、ステップＳ１２で得られた表示領域の変更の有無をチェックする。すなわち、上記場合１の際はＮｏとなり、上記場合２の際はYesとなる。ステップＳ１３でYesとなる場合は、詳細電子番組表のスクロールさせる必要が生じるため、ステップＳ１４〜Ｓ１８の処理が実行され、詳細電子番組表の表示領域の変更が無かった場合（No）、ステップＳ２１，Ｓ２２の処理が実行される。
【００７５】
次に、上記場合２の際に実行されるステップＳ１４〜Ｓ１８の処理について説明する。まず、電子番組表作成部２８内の詳細電子番組表作成部４２によって実行されるステップＳ１４〜Ｓ１６の処理について説明する。
【００７６】
ステップＳ１４において、詳細電子番組表作成部４２はステップＳ４と同様、表示制御信号ＳＣ３の指示する領域内の番組情報を、番組情報管理部２６から獲得する。
【００７７】
そして、ステップＳ１５において、詳細電子番組表作成部４２はステップＳ１４で獲得した番組情報に基づき詳細電子番組表を作成する。
【００７８】
さらに、ステップＳ１６において、詳細電子番組表作成部４２は、ステップＳ６と同様、表示制御信号ＳＣ３に基づき、電子番組表状態管理部４０が求めた基準位置を指し示すカーソルを作成する。ステップＳ１６で作成されたカーソルは、現在表示されているカーソルを時間帯方向及び放送局方向のうち一方方向に移動したカーソルとなる。
【００７９】
このように、詳細電子番組表作成部４２は、電子番組表状態管理部４０と連動することにより、詳細電子番組表の操作内容を指示する電子番組制御信号ＳＣ２に基づき、詳細電子番組表上に変更後の基準位置指示するカーソル６１を作成する（Ｓ１１，Ｓ１６）という、基準位置作成機能を有している。
【００８０】
さらに、詳細電子番組表作成部４２は、電子番組表状態管理部４０と連動することにより、電子番組制御信号ＳＣ２に基づき、詳細電子番組表の表示領域の変更の有無をチェックし（Ｓ１２，Ｓ１３）及び変更が必要な場合に変更後の詳細電子番組表を新たに作成する（Ｓ１４，Ｓ１５）という、電子番組表変更機能を有している。すなわち、詳細電子番組表作成部４２は、変更後の基準位置が含まれるように、必要に応じて詳細電子番組表を新たに作成している。
【００８１】
このため、視聴者によるリモコン３３を用いた操作により、基準位置を指示するカーソル６１を詳細電子番組表上で途切れることなく移動させることができる。
【００８２】
次に、電子番組表作成部２８内の全体電子番組表作成部４１によって実行されるステップＳ１７の処理について説明する。
【００８３】
ステップＳ１７において、全体電子番組表作成部４１は、ステップＳ９と同様、表示制御信号ＳＣ３に基づき、ステップＳ１２で電子番組表状態管理部４０が求めた詳細電子番組表の表示領域を指し示すカーソルを作成する。
【００８４】
最後に、電子番組表合成部４３によりステップＳ１８の処理が実行される。すなわち、ステップＳ１８において、電子番組表合成部４３は、全体電子番組表映像Ｖ４１と詳細電子番組表映像Ｖ４２とを合成して電子番組表映像Ｖ２８を得る。
【００８５】
次に、上記場合１の際に実行されるステップＳ２１，Ｓ２２の処理について説明する。まず、電子番組表作成部２８内の詳細電子番組表作成部４２によって実行されるステップＳ２１の処理について説明する。
【００８６】
ステップＳ２１において、詳細電子番組表作成部４２は、ステップＳ６と同様、表示制御信号ＳＣ３に基づき、電子番組表状態管理部４０が求めた基準位置を指し示すカーソルを作成する。
【００８７】
なお、場合１の際は詳細電子番組表の表示領域が更新されていないため、詳細電子番組表作成部４２は基準位置を指し示すカーソルの更新のみ（ステップＳ２１）を行えば良い。同様にして、詳細電子番組表の表示領域が更新されていないため、全体電子番組表作成部４１による処理は全く必要ない。
【００８８】
最後に、電子番組表合成部４３によりステップＳ２２の処理が実行される。すなわち、ステップＳ２２において、電子番組表合成部４３は、全体電子番組表映像Ｖ４１と詳細電子番組表映像Ｖ４２とを合成して電子番組表映像Ｖ２８を得る。
【００８９】
なお、ここでは詳細電子番組表上のカーソルが表示範囲の外側に移動する際にスクロールする例で説明を行ったが、これに限定するわけではなくカーソルの移動と同時に詳細電子番組表の表示領域をスクロールするようにしてもよく、また他のスクロール方法を実現しても良い。
【００９０】
また、図３では処理手順では詳細電子番組表作成部４２による処理の後に、全体電子番組表作成部４１による処理が実行されているが、これに限定するわけではなく全体電子番組表作成部４１による処理の後に詳細電子番組表作成部４２による処理を実行させても良い。
【００９１】
さらに、図３で示した処理手順では、詳細電子番組表作成部４２と全体電子番組表作成部４１の動作それぞれの初期段階（ステップＳ４，Ｓ１４、ステップＳ７）に、番組表状態管理部による番組情報の獲得処理を行っているが、これに限定するわけではなく例えば、電子番組表状態管理部４０の処理の最後に行うようにしても良い。
【００９２】
また、詳細電子番組表作成部４２と全体電子番組表作成部４１のうち先に動くほうだけで行っても良い。例えば、詳細電子番組表作成部４２の処理が先に行われる場合、詳細電子番組表作成部４２が番組情報を獲得し、詳細電子番組表作成部４２が獲得した番組情報を電子番組表状態管理部４０に転送するようにしても良い。ただし、この場合、詳細電子番組表作成部４２は全日程全放送局の範囲の番組情報を取得する必要がある。
【００９３】
このように、実施の形態１の電子番組表表示装置によれば、詳細電子番組表６０及び全体電子番組表７０が合成された合成電子番組表８０を参照することにより、視聴者は全体電子番組表の中の詳細電子番組表の位置及び領域を明確に認識することができるため、表示されていない放送局や時間帯の番組を詳細電子番組表に表示するにはどの方向にどの程度スクロールさせれば良いかに関し簡易かつ正確に認識することができる。
【００９４】
図１４は実施の形態１の効果説明用の従来の電子番組表の表示例である。同図に示すように、放送局軸１０で規定される限られた放送局（ＣＨ３〜ＣＨ７）と、時間軸１１で規定される限られた時間帯（１７時〜２３時）の電子番組表８５のみでは、表示されていない放送局や時間帯の番組を電子番組表８５に表示するにはどの方向にどの程度スクロールさせれば良いかを容易に認識することは極めて困難となる。
【００９５】
このように、視聴者は実施の形態１の電子番組表表示装置を利用することにより、視聴者の電子番組表（全体電子番組表及び詳細電子番組表）における番組検索操作や電子番組表で表示する領域の変更操作を簡便化することができ、電子番組表を用いた番組検索の所要時間を従来に比べ大幅に削減することが可能となる効果を奏する。
【００９６】
さらに、全体電子番組表と詳細電子番組表とが画面上に同時に表示されているので電子番組表を切り換える操作が不要となる分、電子番組表の操作自体が簡便化されるという効果も奏する。
【００９７】
＜実施の形態２＞
図８はこの発明の実施の形態２である電子番組表表示装置内の電子番組表作成部２８による電子番組表作成方法の処理手順を示すフローチャートである。なお、実施の形態２の電子番組表表示装置を組み込んだテレビジョン放送受信機の全体構成は図１で示した実施の形態１の構成と同様である。また、通常視聴状態から合成電子番組表を表示する場合は実施の形態１のステップＳ２〜Ｓ１０と同様な処理が行われる。
【００９８】
図８では全体電子番組表の（詳細電子番組表指示用）カーソルを移動させて詳細電子番組表の表示領域を変更させる処理手順を示している。以下では、全体電子番組表上のカーソルを移動させる操作方法を視聴者によるリモコン３３の方向キーによる上下左右方向の長押し入力とする例を用いて、図８を参照して、電子番組表作成部２８の処理手順を説明する。
【００９９】
マイコン３１は全体電子番組表上のカーソル移動操作命令をリモコン３３から受信し、さらにマイコン３１が送信した全体電子番組表上のカーソル操作内容を指示する電子番組制御信号ＳＣ２を電子番組表作成部２８内の電子番組表状態管理部４０が受信することによりスタートする。
【０１００】
まず、ステップＳ３１において、電子番組表状態管理部４０はマイコン３１から得られる電子番組制御信号ＳＣ２に基づき、新たに作成する詳細電子番組表内における基準位置を次の基準位置として設定する基準位置の変更処理を実行する。
【０１０１】
その後、ステップＳ３２において、電子番組表状態管理部４０は、電子番組制御信号ＳＣ２に基づき、ステップＳ３１で求めた基準位置と自身が管理している範囲・領域等管理情報より得られる詳細電子番組表の範囲を用いて、新たに詳細電子番組表の表示領域を計算する。
【０１０２】
このように、ステップＳ３１，Ｓ３２の処理によって、現在、詳細電子番組表が表示している領域及び基準位置の情報を用いて、電子番組制御信号ＳＣ２に基づき、次の基準位置と詳細電子番組表の表示領域を求める。例えば、詳細電子番組表が一度に表示する放送局数が５つで、時間幅が５時間であり、１７時から２２時のＣＨ３からＣＨ７の領域の詳細電子番組表を表示中であるときに、詳細電子番組表のカーソルが１８時のＣＨ７を指している場合、すなわち現在の基準位置が１８時でＣＨ７の場合を想定する。この想定下で、時間が早い方向に全体電子番組表上のカーソル移動操作命令をリモコン３３が送信した場合、すなわち、電子番組制御信号ＳＣ２が時間が早い方向に全体電子番組表上のカーソル移動操作を指示した場合を考える。この場合、詳細電子番組表の表示時間幅が５時間であるから、基準位置および表示領域の時間を５時間前にする、すなわち基準位置を１３時でＣＨ７とし、表示領域を１２時から１７時でＣＨ３からＣＨ７の領域を次に詳細電子番組表が表示すべき領域であると求める。
【０１０３】
電子番組表状態管理部４０がステップＳ３１，Ｓ３２により求めた新たな詳細電子番組表の表示領域及び基準位置を規定した表示制御信号ＳＣ３は詳細電子番組表作成部４２及び全体電子番組表作成部４１に送信される。
【０１０４】
ステップＳ３３において、詳細電子番組表作成部４２は、表示制御信号ＳＣ３の指示する領域内における番組情報を、番組情報管理部２６から獲得する。
【０１０５】
そして、ステップＳ３４において、詳細電子番組表作成部４２はステップＳ３３で獲得した番組情報と用いて、表示制御信号ＳＣ３の指示する表示領域の詳細電子番組表を作成する。
【０１０６】
さらに、ステップＳ３５において、詳細電子番組表作成部４２は、表示制御信号ＳＣ３に基づき、電子番組表状態管理部４０が求めた基準位置を詳細電子番組表上で指し示すカーソルを作成する。
【０１０７】
このように、詳細電子番組表作成部４２は、カーソルの全体電子番組表上の表示位置に合致した放送局及び時間帯の番組で構成される詳細電子番組表を作成する。
【０１０８】
その後、ステップＳ３６において、全体電子番組表作成部４１は、表示制御信号ＳＣ３に基づき、電子番組表状態管理部４０が求めた詳細電子番組表が表示領域を指し示すカーソルを表示する。
【０１０９】
このように、全体電子番組表作成部４１は、電子番組表状態管理部４０の表示制御信号ＳＣ３（電子番組制御信号ＳＣ２に基づき生成）に基づき、全体電子番組表上に表示され、詳細電子番組表が表示領域を指し示すカーソルを時間帯方向及び放送局方向のうち一方方向に移動させる移動表示を行う。
【０１１０】
最後に、電子番組表合成部４３によりステップＳ３７の処理が実行される。すなわち、ステップＳ３７において、電子番組表合成部４３は、全体電子番組表映像Ｖ４１と詳細電子番組表映像Ｖ４２とを合成して電子番組表映像Ｖ２８を得る。
【０１１１】
図９は実施の形態２の電子番組表表示装置により得られた電子番組表映像Ｖ２８よって表示される合成電子番組表８１の一例を示す説明図である。
【０１１２】
同図に示すように、「ＣＨ３〜ＣＨ７、時間帯１２時から１７時」を表示領域とする詳細電子番組表６２内において、基準位置である「ＣＨ７，１３時」の番組１９に関し、カーソル６３が表示される。そして、全体電子番組表７０内における詳細電子番組表６２の位置を示すカーソル７２が併せて表示される。
【０１１３】
なお、ここでは全体電子番組表上のカーソル移動操作命令の入力方法をリモコン３３の方向キーによる上下左右方向の長押し入力として説明しているが、これに限らず例えばフォーカス切り換えボタンを押すことで詳細電子番組表と全体電子番組表のどちらのカーソルを操作するかを切り換え、方向キーの上下左右入力を受け付けるようにしてもよく、また他の入力方法を用いても良い。
【０１１４】
このように、実施の形態２によれば、全体電子番組表７０上のカーソル７２を移動させることにより、詳細電子番組表６２をスクロールさせて様々な位置の番組を探すことができる。この際、全体電子番組表７０が詳細電子番組表６２のスクロールに適合した表示範囲をカーソル７２より指し示すことができる。
【０１１５】
また、詳細電子番組表６２が表示している位置からかけ離れた位置の詳細電子番組表６２を表示しようとする際にも、画面の切り換え無しに全体電子番組表７０内のカーソル７２を操作することにより、容易に詳細電子番組表６２を画面スクロールをさせることができる。したがって、頻繁に詳細電子番組表の表示画面をスクロールさせる場合にも現在表示させている詳細電子番組表６２が全体電子番組表７０内のどの当たりに位置するかを容易かつ正確に認識することができ、その結果、詳細電子番組表６２の画面スクロールの際の操作が容易になり、所要時間も軽減することができる効果を奏する。
【０１１６】
＜実施の形態３＞
図１０はこの発明の実施の形態３である電子番組表表示装置の電子番組表作成部２８による電子番組表作成方法の処理手順を示すフローチャートである。なお、実施の形態３の電子番組表表示装置を組み込んだテレビジョン放送受信機の全体構成は図１で示した実施の形態１の構成と同様である。また、通常視聴状態から合成電子番組表を表示する場合は実施の形態１のステップＳ２〜Ｓ１０と同様な処理が行われる。
【０１１７】
視聴者が詳細電子番組表で一度に表示する範囲を変更したい場合は、例えばリモコン３３のズームイン／ズームアウトボタンを押すことで拡大／縮小操作命令が送信される。そしてリモコン３３からの拡大／縮小操作命令をマイコン３１が受け取り、さらにマイコン３１が送信した拡大／縮小操作を指示する電子番組制御信号ＳＣ２を電子番組表作成部２８の電子番組表状態管理部４０が受信することによりスタートする。
【０１１８】
ステップＳ４１において、電子番組表状態管理部４０は、マイコン３１から受信した、詳細電子番組表の表示範囲（第２の範囲）の拡大／縮小（変更）を指示する電子番組制御信号ＳＣ２（範囲変更指示信号）と現在表示中の詳細電子番組表の表示範囲とに基づき、次に表示すべき詳細電子番組表の表示範囲を求める。
【０１１９】
その後、ステップＳ４２において、電子番組表状態管理部４０は、現在の基準位置と自身が管理している範囲・領域等管理情報とステップＳ４１でも求められた表示範囲とに基づき、詳細電子番組表の表示領域を計算する。この際、現在表示中の詳細電子番組表の中心を変更しないで詳細電子番組表が表示されるよう表示領域を計算する。そして、表示領域を指示する表示制御信号ＳＣ３を全体電子番組表作成部４１及び詳細電子番組表作成部４２に送信する。
【０１２０】
例えば、詳細電子番組表が一度に表示する放送局数が５つで時間幅が５時間であり、１７時から２２時のＣＨ３からＣＨ７の領域の詳細電子番組表を表示中であるときに、詳細電子番組表のカーソルが１８時のＣＨ７を指している場合、すなわち現在の基準位置が１８時でＣＨ７の場合を考える。この状態時に、縮小操作命令がリモコン３３から送信される場合は、例えば放送局数及び時間帯幅の端がそれぞれ＋１（ＣＨ，時間）及び−１（ＣＨ，時間）される。すなわち、詳細電子番組表が一度に表示する放送局数が７つで時間幅が７時間となり、詳細電子番組表が次に表示をする領域は「１６時（１７時−１時間）から２２時（２１時＋１時間）のＣＨ２（ＣＨ３−１ＣＨ）からＣＨ８（ＣＨ７＋１ＣＨ）」の領域となる。このときの、詳細電子番組表の中心「１９時のＣＨ５」は変わらず、詳細電子番組表のカーソルが指している基準位置も「１８時のＣＨ７」から変わらない。
【０１２１】
次に、ステップＳ４３において、詳細電子番組表作成部４２は電子番組表状態管理部４０からの受信される表示制御信号ＳＣ３に基づき、新たに表示すべき詳細電子番組表の番組情報の種類を決定する。例えば、表示制御信号ＳＣ３が詳細電子番組表を縮小を指示する場合には、各番組の情報を表示するセルの大きさが小さくなってしまい、逆に拡大する場合には各番組の情報を表示するセルの大きさが大きくなってしまう。そのため、縮小する場合には詳細電子番組表に表示する一番組あたりの情報量を減らす必要があり、また拡大する場合には増やすことができる。
【０１２２】
したがって、詳細電子番組表作成部４２は、表示制御信号ＳＣ３に規定された詳細電子番組表の表示範囲の大きさから、単位番組情報を表示するセルの大きさを求め、そこに表示する番組情報の種類を決定する。例えば、詳細電子番組表を縮小している場合は番組名のみを表示し、詳細電子番組表を拡大している場合は番組名だけではなくジャンルや番組内容の一部なども表示する種類を決定する。
【０１２３】
次に、ステップＳ４４において、詳細電子番組表作成部４２は、表示制御信号ＳＣ３の指示する領域内における番組情報を、番組情報管理部２６から獲得する。この際、ステップＳ４３で決定した番組情報の種類で必要とする情報を取得する。
【０１２４】
そして、ステップＳ４５において、詳細電子番組表作成部４２はステップＳ４４で獲得した番組情報に基づき詳細電子番組表を作成する。
【０１２５】
さらに、ステップＳ４６において、詳細電子番組表作成部４２は、表示制御信号ＳＣ３に基づき、電子番組表状態管理部４０が求めた基準位置を指し示すカーソルを作成する。
【０１２６】
このように、詳細電子番組表作成部４２は、電子番組表状態管理部４０と連動して、詳細電子番組表の表示範囲の変更を指示する電子番組制御信号ＳＣ２に基づき、上記表示範囲を変更して詳細電子番組表を作成している。
【０１２７】
その後、ステップＳ４７において、全体電子番組表作成部４１は、表示制御信号ＳＣ３に基づき、電子番組表状態管理部４０が求めた詳細電子番組表が表示領域を指し示すカーソルを作成する。
【０１２８】
このように、全体電子番組表作成部４１は、変更後の詳細電子番組表の上記表示範囲に適合した範囲のカーソルを全体電子番組表上に作成する。
【０１２９】
最後に、電子番組表合成部４３によりステップＳ４８の処理が実行される。すなわち、ステップＳ４８において、電子番組表合成部４３は、全体電子番組表映像Ｖ４１と詳細電子番組表映像Ｖ４２とを合成して電子番組表映像Ｖ２８を得る。
【０１３０】
図１１は実施の形態３の電子番組表表示装置により得られた電子番組表映像Ｖ２８よって表示される合成電子番組表８２の一例を示す説明図である。
【０１３１】
同図に示すように、「ＣＨ２〜ＣＨ８、時間帯１６時から２３時」を表示領域とする詳細電子番組表６４内において、基準位置である「ＣＨ７，１８時」の番組２７に関し、カーソル６５が表示される。そして、全体電子番組表７０内における詳細電子番組表６４の位置を示すカーソル７３が併せて表示される。
【０１３２】
なお、実施の形態３では、詳細電子番組表の拡大／縮小をリモコン３３のズームイン／ズームアウトボタンを用いているが、これに限らず例えば詳細電子番組表の一部にスライドバーを表示してフォーカス移動ボタンによってリモコンの入力を受け付ける部分をスライドバーに切り換え、上下キーの入力でスライドバーをスライドさせることで拡大／縮小信号をマイコン３１が送信しても良い。また、リモコン３３にアナログ入力を許すトラックボールやホイールを設けてその変化量を送信することで拡大縮小を切り換えても良い。
【０１３３】
このように、実施の形態３によれば、マイコン３１から受信した拡大／縮小を指示する電子番組制御信号ＳＣ２に基づき表示範囲の大きさを変更して詳細電子番組表を作成するため（Ｓ４１〜Ｓ４５）、視聴者が好みに応じた表示範囲の大きさを有する詳細電子番組表を視認することができる。さらに、全体電子番組表７０上のカーソル７２を参照することにより、表示範囲変更後の詳細電子番組表６２の全体電子番組表７０上における位置、及び領域が簡易かつ正確に認識することができるため、詳細電子番組表の画面スクロールの際の操作が容易になり、所要時間も軽減することができる効果を奏する。
【０１３４】
＜実施の形態４＞
図１２はこの発明の実施の形態４である電子番組表表示装置の電子番組表作成部２８による作成された全体電子番組表の一例を示す説明図である。なお、実施の形態３の電子番組表表示装置を組み込んだテレビジョン放送受信機の全体構成は図１で示した実施の形態１の構成と同様である。また、実施の形態４の処理は、実施の形態１ではステップＳ８の全体電子番組表作成部４１の処理内容を変更することにより実現される。
【０１３５】
図１２に示すように、全体電子番組表７４は番組情報管理部２６が管理する番組情報の全日程全放送局の情報を表示するため、単位番組あたりの情報を表示するセルの大きさはとても小さくなってしまう。そのため、実施の形態４では、番組情報管理部２６が管理する番組情報の中から一部を抜き出し、その情報が認識できる記号やアイコンを表示することで、全体電子番組表に各番組の番組情報を表示する。すなわち、番組情報を星印アイコン９０、丸印アイコン９１及び十字アイコン９２を用いて示している。
【０１３６】
例えば、番組情報管理部２６が管理する番組情報の中からジャンル情報を獲得し、ドラマ番組は星印アイコン９０、スポーツ番組は丸印アイコン９１、バラエティー番組は十字アイコン９２で表示する等のアイコン表示を行うことにより、単位番組当たりの情報表示量が限られた全体電子番組表上からでも目的の番組を検索しやすくなるという効果を奏する。
【０１３７】
その際、すべての番組についてアイコン表示を行うと、全体電子番組表上に多数のアイコンが表示され、互いが重なり合ったりして視認性が悪くなってしまう。そのため、例えば放送時間が１時間以上のものに限定するなど、全体電子番組表上に番組情報を反映させるものを限定する。
【０１３８】
なお、ここでは星や丸及び十字といったアイコンを用いて全体電子番組表に表示しているが、それに限定するものではなく赤、青、緑といった色で表現しても良い。
【０１３９】
このように、実施の形態４では、番組情報におけるジャンル等の番組関連情報に置き換えて、星や丸及び十字といったアイコンによる（予め定められた）記号を作成することにより、全体電子番組表上に記号表示を行っている。記号表示を行うことにより、文字表示する場合に比べ、視聴者の全体電子番組表上における番組内容（ジャンル等）を簡易に認識することができる。
【０１４０】
なお、ここでは全体電子番組表上に表示する情報はその番組のジャンルとしているが、それに限定するものではなく、例えば視聴者の過去の視聴履歴を元に計算したお勧め番組を表示するよしても良い。
【０１４１】
図１３は視聴者の過去の視聴履歴に基づく全体電子番組表を表示可能にした電子番組表表示部１６を組み込んだデジタル放送受信機２０Ａの構成を示すブロック図である。
【０１４２】
同図に示すように、お勧め番組指示部３４は視聴履歴ＤＢ３５から視聴者の過去に視聴した番組の履歴情報を獲得し、履歴情報に基づきお勧め番組関連情報（お勧めの番組ジャンル、お勧めの出演者等）を得る。そして、お勧め番組指示部３４は、上記お勧め番組関連情報を電子番組表作成部２８内の全体電子番組表作成部４１（図１３では図示せず）に与える。
【０１４３】
全体電子番組表作成部４１は、上記お勧め番組関連情報に基づき、このお勧め番組関連情報に合致する番組をお勧め番組として認識し、当該お勧め番組に置き換えてアイコン等の特定の記号を全体電子番組表上に作成する。なお、特定の記号としては、アイコン表示以外に、所定の色で塗りつぶし領域等が考えられる。なお、上記処理は、実施の形態１のステップＳ７，Ｓ８の処理として実行される。また、履歴情報に基づきお勧め番組関連情報を得るステップが別途設けられる。
【０１４４】
このように、全体電子番組表作成部４１は、お勧め番組指示部３４から得られるお勧め番組関連情報に合致する番組をお勧め番組として認識し、当該お勧め番組番組に置き換えたアイコン等の特定の記号を全体電子番組表上に作成している。
【０１４５】
その結果、視聴者は特定の記号をお勧め番組と認識して、全体電子番組表上を検索することにより、視聴者の希望とする番組を検索する操作が容易になる効果を奏する。
【０１４６】
このように、図１３で示した構成を用いた実施の形態４では、視聴者の希望とする番組情報（ジャンル、お勧め番組）がどの放送局・時間帯に含まれているかの手がかりとなる情報が記号等により簡易に認識可能に全体電子番組表上に表示できるため、特定の番組や放送局及び時間帯の番組を検索していない場合でも、視聴者の希望する番組を検索する操作が容易になる効果を奏する。
【０１４７】
＜その他＞
なお、上述した実施の形態１〜実施の形態４では全体電子番組表７０（７４）として、一例として１２ＣＨ、１日分の番組表を示したが、これに限定されず、全体電子番組表の表示の大きさを変えることにより、週単位等の番組表に拡張等ができるのは勿論である。
【産業上の利用可能性】
【０１４８】
本発明の活用例として、デジタル放送受信機、デジタルテレビ、ＨＤＤレコーダの電子番組表表示に適用でき、その結果番組検索及び番組情報参照の際の電子番組表の操作が簡潔に行えるようになる。
【図面の簡単な説明】
【０１４９】
【図１】この発明の実施の形態１である電子番組表表示装置を組み込んだテレビジョン放送受信機の全体構成を示すブロック図である。
【図２】図１で示した電子番組表作成部の内部構成を示すブロック図である。
【図３】実施の形態１の電子番組表表示装置内の電子番組表作成部による電子番組表作成方法の処理手順を示すフローチャートである。
【図４】図１で示した番組情報管理部が管理している番組情報例を示す説明図である。
【図５】図２で示した詳細電子番組表作成部が作成する詳細電子番組表の一例を示す説明図である。
【図６】図２で示した全体電子番組表作成部が作成する全体電子番組表の一例を示す説明図である。
【図７】図２で示した電子番組表合成部によって得られる合成電子番組表８０の一例を示す説明図である。
【図８】この発明の実施の形態２である電子番組表表示装置内の電子番組表作成部による電子番組表作成方法の処理手順を示すフローチャートである。
【図９】実施の形態２の電子番組表表示装置により得られた合成電子番組表の一例を示す説明図である。
【図１０】この発明の実施の形態３である電子番組表表示装置の電子番組表作成部による電子番組表作成方法の処理手順を示すフローチャートである。
【図１１】実施の形態３の電子番組表表示装置により得られた合成電子番組表の一例を示す説明図である。
【図１２】この発明の実施の形態４である電子番組表表示装置の電子番組表作成部による作成された全体電子番組表の一例を示す説明図である。
【図１３】視聴者の過去の視聴履歴に基づく全体電子番組表を表示可能にした電子番組表表示部を組み込んだデジタル放送受信機の構成を示すブロック図である。
【図１４】実施の形態１の効果説明用の従来の電子番組表の表示例を示す説明図である。
【符号の説明】
【０１５０】
１５，１６  電子番組表表示部、２０，２０Ａ  デジタル放送受信機、２２  チューナ、２３  デコーダ、２４  表示映像作成部、２５  番組情報抽出部、２６  番組情報管理部、２７  番組情報ＤＢ、２８  電子番組表作成部、２９  表示画像合成部、３０  リモコン受光部、３１  マイコン、３２  表示パネル、３３  リモコン、３４  視聴履歴ＤＢ、３５  視聴履歴ＤＢ、４０  電子番組表状態管理部、４１  全体電子番組表作成部、４２  詳細電子番組表作成部、４３  電子番組表合成部。
【図１】
2008263480.tif 000003
【図２】
2008263480.tif 000004
【図３】
2008263480.tif 000005
【図４】
2008263480.tif 000006
【図５】
2008263480.tif 000007
【図６】
2008263480.tif 000008
【図７】
2008263480.tif 000009
【図８】
2008263480.tif 000010
【図９】
2008263480.tif 000011
【図１０】
2008263480.tif 000012
【図１１】
2008263480.tif 000013
【図１２】
2008263480.tif 000014
【図１３】
2008263480.tif 000015
【図１４】
2008263480.tif 000016